(57)【要約】【課題】  緊急通報システムと見守りシステムの両方に適用できると共に、電池の消耗を合理的に低減できる無線タグユニットを提供できる。【解決手段】  パッシブ型無線タグリーダ２がアクティブ型無線通信制御部１０を起動すべき電波を受信した場合に、前記アクティブ型無線通信制御部１０を起動し、前記起動された前記アクティブ型無線通信制御部１０は、ＩＤ情報を含む電波を定期的または非定期に発信し、緊急スイッチ１４が押下された場合またはセンサ１５が反応した場合に、前記ＩＤ情報および緊急通報である旨の情報を含む電波を発信する。【選択図】  図１
2016173699.tif 000002
【特許請求の範囲】
【請求項１】
所定の無線タグリーダからの電波をエネルギー源として動作するパッシブ型無線タグ機能と、内蔵している電池をエネルギー源として動作するアクティブ型無線タグ機能の両方の機能を備える無線タグユニットであって、
自無線タグユニットを識別するＩＤ情報を記憶しておくＩＤ記憶手段と、前記無線タグリーダからの電波を受信する電波受信手段と、前記無線タグリーダから前記ＩＤ情報を読取るための電波を受信した場合に、前記受信した電波で動作し、前記無線タグリーダへ前記ＩＤ情報を通知するパッシブ型ＩＤ通知手段と、前記電池からの電力で動作し、前記ＩＤ情報を含む電波を定期的または非定期に発信して所定の受信機へ前記ＩＤ情報を通知するアクティブ型ＩＤ通知手段と、緊急通報に係るスイッチまたはセンサを含む緊急通報起動手段と、を有し、
前記無線タグリーダから前記アクティブ型ＩＤ通知手段を起動すべき電波を受信した場合に、前記アクティブ型ＩＤ通知手段を起動し、
前記起動されたアクティブ型ＩＤ通知手段は、前記ＩＤ情報を含む電波を定期的または非定期に発信し、前記スイッチが押下された場合または前記センサが反応した場合に、前記ＩＤ情報および緊急通報である旨の情報を含む電波を発信することを特徴とする緊急通報機能を有する無線タグユニット。
【請求項２】
請求項１に記載の無線タグユニットにおいて、
前記スイッチが押下された場合または前記センサが反応した場合に、前記アクティブ型ＩＤ通知手段は、定期的または非定期に発信する電波の電波強度以上の電波強度で、前記ＩＤ情報と緊急通報である旨の情報を含む電波を発信することを特徴とする緊急通報機能を有する無線タグユニット。
【請求項３】
請求項１または２に記載の無線タグユニットにおいて、
前記電池は充電可能な電池であって、前記電池を充電するための電力を外部の機器からワイヤレスで受電するワイヤレス受電手段をさらに有することを特徴とする緊急通報機能を有する無線タグユニット。
【発明の詳細な説明】
【技術分野】
【０００１】
本発明は、緊急通報システムと見守りシステムの両方に適用可能な、被見守り者が携帯する無線タグユニットに関する。
【背景技術】
【０００２】
近年、高齢化社会の到来と共に、ペンダント型等の緊急通報用携帯ユニットを、入院患者等の被介護者に携帯させ、異常時に緊急通報ボタンを押下させる緊急通報システムが普及しつつある。この緊急通報ユニットに用いられる無線通信方式は、電池（例えば、ボタン電池）で駆動する特定小電力無線通信方式であることが一般的である。
【０００３】
一方、無線タグを装着した見守りユニット（名札等）を被介護者に携帯させて、被介護者の存在場所を見守る見守りシステムも普及しつつある。この無線タグとしては、無線タグリーダにタッチして自ＩＤ情報を通知する、電池が不要なパッシブ型無線タグと、定期的または通知要求を受信した時に自ＩＤ情報を含む電波を発信する、電池を内蔵するアクティブ型無線タグがあるが、見守りシステム用としては電池が不要なパッシブ型無線タグが主流である。
【０００４】
現状では、緊急通報用携帯ユニットと見守りユニットは別物であり、緊急通報システムと見守りシステムの両方を導入しようとすると、被介護者に両方のユニットを携帯させる必要があり合理的ではない。従って、今後、これらの緊急通報システムと見守りシステムの両方に適用できるウェアラブルな緊急通報見守り兼用ユニットが望まれる。
【０００５】
この緊急通報見守り兼用ユニットとしては、緊急通報システム用の電池を内蔵するので、無線タグとしてパッシブ型無線タグとアクティブ型無線タグの両方に対応可能だが、内蔵している電池は小容量なので、緊急通報以外なるべく電池による動作を回避することが望ましい。
【０００６】
電池を内蔵するアクティブ型無線タグの消費電力を低減する技術として、無線タグリーダが所定の送信周期で送信開始信号を送信し、無線タグは、送信開始信号の受信のみを行う低消費電力の待機状態とし、送信開始信号の受信に応じて動作状態に移行して応答信号を無線タグリーダへ送信する技術がある（例えば、特許文献１）。
【０００７】
しかしながら、特許文献１に記載されている技術は、アクティブ型無線タグの省電力化のみを目的にしたもので、パッシブ型無線タグとしての機能や、緊急通報システムと見守りシステムの両方へ適用することへの配慮が不足している。
【先行技術文献】
【特許文献】
【０００８】
【特許文献１】特開２０１２−９５２７１号公報
【発明の概要】
【発明が解決しようとする課題】
【０００９】
そこで、本発明の課題は、緊急通報システムと見守りシステムの両方に適用できると共に、電池の消耗を合理的に低減できる無線タグユニットを提供することにある。
【課題を解決するための手段】
【００１０】
上記課題を解決するために、本発明は、所定の無線タグリーダからの電波をエネルギー源として動作するパッシブ型無線タグ機能と、内蔵している電池をエネルギー源として動作するアクティブ型無線タグ機能の両方の機能を備える無線タグユニットであって、自無線タグユニットを識別するＩＤ情報を記憶しておくＩＤ記憶手段と、前記無線タグリーダからの電波を受信する電波受信手段と、前記無線タグリーダから前記ＩＤ情報を読取るための電波を受信した場合に、前記受信した電波で動作し、前記無線タグリーダへ前記ＩＤ情報を通知するパッシブ型ＩＤ通知手段と、前記電池からの電力で動作し、前記ＩＤ情報を含む電波を定期的または非定期に発信して所定の受信機へ前記ＩＤ情報を通知するアクティブ型ＩＤ通知手段と、緊急通報に係るスイッチまたはセンサを含む緊急通報起動手段と、を有し、前記無線タグリーダから前記アクティブ型ＩＤ通知手段を起動すべき電波を受信した場合に、前記アクティブ型ＩＤ通知手段を起動し、前記起動されたアクティブ型ＩＤ通知手段は、前記ＩＤ情報を含む電波を定期的または非定期に発信し、前記スイッチが押下された場合または前記センサが反応した場合に、前記ＩＤ情報および緊急通報である旨の情報を含む電波を発信することを特徴とする。
【発明の効果】
【００１１】
本発明によれば、緊急通報システムと見守りシステムの両方に適用できると共に、電池の消耗を合理的に低減できる無線タグユニットを提供できる。
【図面の簡単な説明】
【００１２】
【図１】本発明による無線タグユニットの内部ブロック構成を含む全体図
【図２】本発明による無線タグユニットの動作フローチャート
【発明を実施するための形態】
【００１３】
以下、本発明の実施形態について、図面を用いて説明する。図１は、本発明による緊急通報機能を有する無線タグユニット１（以下、本ユニット１と略す）の内部ブロック構成を含む全体図である。
【００１４】
まず、本ユニット１を含むシステムの全体構成を説明する。本ユニット１は、パッシブ型無線タグリーダ２，アクティブ型無線タグリーダ３，緊急通報受信装置４，ワイヤレス給電装置５の各々とワイヤレスで接続される。また、パッシブ型無線タグリーダ２、アクティブ型無線タグリーダ３、緊急通報受信装置４の各々は、ＬＡＮを介して見守／緊急通報管理装置６と接続される。さらに、見守／緊急通報管理装置６はＷＡＮを介して、所定の宛先（図示せず）と繋がる。
【００１５】
パッシブ型無線タグリーダ２は、電池を内蔵していないパッシブ型無線タグからＩＤ情報を読み取る装置である。パッシブ型無線タグリーダ２は、定期的に特定周波数の電波（例えば、９００ＭＨｚ帯）を発信し、その電波エネルギーでパッシブ型無線タグを動作させ、ＩＤ情報が重畳された反射電波を受信するので、一般的に通信可能距離は短い（例えば、数ｍｍ〜数ｍ）。
【００１６】
パッシブ型無線タグリーダ２は、出入口等（例えば、入院患者の病室のドアー）に設置される装置であって、実際には無線タグリーダＡと無線タグリーダＢを含み（図示せず）、無線タグリーダＡ→Ｂの順に同一のＩＤ情報を読み取った場合に、パッシブ型無線タグリーダ２は、「出」と判断し、当該ＩＤ情報の無線タグ（本ユニット１他）を所持した者が出て行った旨を、ＬＡＮを介して見守／緊急通報管理装置６へ通知する。
【００１７】
同様に、パッシブ型無線タグリーダ２が無線タグリーダＢ→Ａの順に同一のＩＤ情報を読み取った場合に、パッシブ型無線タグリーダ２は、「入」と判断し、当該ＩＤ情報の無線タグ（本ユニット１他）を所持した者が入ってきた、または帰ってきた旨を、ＬＡＮを介して見守／緊急通報管理装置６へ通知する。
【００１８】
アクティブ型無線タグリーダ３は、電池を内蔵しているアクティブ型無線タグからＩＤ情報を読み取る装置である。アクティブ型無線タグリーダ３は、特定周波数の電波（例えば、３００ＭＨｚ帯）で定期的に要求信号を発信し、その要求信号を受信したアクティブ型無線タグから、ＩＤ情報を含む電波を受信する。この通信可能距離はパッシブ型無線タグリーダ２より長い（例えば、数ｍ〜数十ｍ）。
【００１９】
アクティブ型無線タグリーダ３は、被介護者が行きそうな場所（例えば、病院の主要な通路や売店等）に設置される装置であって、ＩＤ情報を読み取った場合に、当該ＩＤ情報の無線タグ（本ユニット１他）を所持した者が通過したまたは近傍に居る旨を、ＬＡＮを介して見守／緊急通報管理装置６へ通知する。
【００２０】
緊急通報受信装置４は、例えば、ナースコール等の緊急通報の無線信号を受信する装置であり、特定周波数の緊急通報電波（例えば、３００ＭＨｚ帯）の受信を監視する。緊急通報受信装置４は、緊急通報子機（本ユニット１他）からＩＤ情報を含む緊急通報電波を受信すると、当該ＩＤ情報の緊急通報子機（本ユニット１他）を所持した者から緊急通報が発信された旨を、ＬＡＮを介して見守／緊急通報管理装置６へ通知する。緊急通報受信装置４は、アクティブ型無線タグリーダ３と一体化してもよい。
【００２１】
ワイヤレス給電装置５は、本ユニット１へワイヤレス給電して、本ユニット１を充電する装置である。ワイヤレス給電装置５は、例えば、被介護者が就寝する場所の近傍に設置されている。なお、本ユニット１が電池交換方式またはワイヤレス給電以外の充電方式の場合、ワイヤレス給電装置５は不要である。
【００２２】
見守／緊急通報管理装置６は、例えば、ナースセンタに設置される装置であって、ＬＡＮを介して接続されているパッシブ型無線タグリーダ２、アクティブ型無線タグリーダ３から情報を収集および管理し、誰が何処に居るかに係る見守情報を表示したり所定の宛先へ通知したりする。また、ＬＡＮを介して接続されている緊急通報受信装置４から緊急通報情報（例えば、ナースコール）を受信すると、その旨を表示すると共に、ＬＡＮまたはＷＡＮを介して所定の宛先（図示せず）へ通知する。
【００２３】
次に、本ユニット１の内部ブロック構成について説明する、本ユニット１は、パッシブ型無線タグとアクティブ型無線タグの両方の機能を具備するユニットであって、アクティブ型無線通信制御部１０，パッシブ型無線通信制御部１１，ＩＤ情報記憶部１２，タイマー１３，緊急スイッチ１４，センサ１５，充電池１６，ワイヤレス受電部１７から構成される。
【００２４】
アクティブ型無線通信制御部１０は、本ユニット１におけるアクティブ型無線通信に係る制御を実行する手段である。パッシブ型無線通信制御部１１から起動信号を受信した場合、または緊急スイッチ１４が押下された場合、またはセンサ１５が反応した場合に起動し、ＩＤ情報記憶部１２に記憶しているＩＤ情報で変調した無線信号を、アクティブ型無線タグリーダ３または緊急通報受信装置４へ発信する。
【００２５】
パッシブ型無線通信制御部１１は、本ユニット１におけるパッシブ型無線通信に係る制御を実行する手段である。パッシブ型無線タグリーダ２から特定周波数の電波を受信すると、その電波エネルギーで動作すると共に、受信した電波の一部を反射し、その反射電波をＩＤ情報記憶部１２に記憶しているＩＤ情報で変調する。また、パッシブ型無線通信制御部１１は、パッシブ型無線タグリーダ２から受信する電波に応じて、アクティブ型無線通信制御部１０を起動する。
【００２６】
ＩＤ情報記憶部１２は、本ユニット１に割り振られたＩＤ情報を記憶しておく手段であって、電力が供給されない状態でも情報を保持する不揮発性メモリ（例えば、フラッシュメモリ）を含む。
【００２７】
タイマー１３は、アクティブ型無線通信制御部１０からの指示に従って起動し、電波監視や電波発信等のタイミングを計測する手段である。
【００２８】
緊急スイッチ１４は、被介護者が異常時や緊急時に押下するスイッチであり、押下されると、アクティブ型無線通信制御部１０が起動する。
【００２９】
センサ１５は、異常事態や緊急事態に係る所定の情報を検知する手段であって、例えば、体温，血圧，脈拍等の健康状態に係る各種センサや，転倒等の事故に係る各種センサを適宜装着する。
【００３０】
充電池１６は、ワイヤレス受電部１７から受電した電力を蓄電すると共に、本ユニット内の各部へ電力を供給する手段である。
【００３１】
ワイヤレス受電部１７は、ワイヤレス給電装置５からワイヤレスで電力を受電し、受電した電力を充電池１６へ供給する手段である。なお、ワイヤレスで電力を受電する方式としては、いわゆる非接触充電に適用される電磁誘導方式，電磁界共鳴方式，電波方式等のいずれであってもよい。
【００３２】
図２は本ユニット１の動作フローチャートである。以下、図１を併用して、本ユニット１の動作フローを説明する。本フローは、パッシブ型無線通信制御部１１による電波受信，緊急スイッチ１４への押下，センサ１５の反応を待機している状態でスタートし（Ｓ２００）、待機状態において電力の消耗は極めて小さい。
【００３３】
待機状態において、パッシブ型無線タグリーダ２からの退場(Ａ→Ｂ)に係る電波の受信（Ｓ２０１），パッシブ型無線タグリーダ２からの入場(Ｂ→Ａ)に係る電波の受信（Ｓ２０２），緊急ＳＷ１４の押下またはセンサ１５の反応の有無（Ｓ２３０）を監視している。
【００３４】
Ｓ２０１において、パッシブ型無線タグリーダ２から退場(Ａ→Ｂの順)に係る電波を受信した場合(Ｓ２０１,ＹＥＳ)、パッシブ型無線通信制御部１１は、自ＩＤ情報を含む電波を反射して(Ｓ２１０)、パッシブ型無線タグリーダ２へ自ＩＤ情報を通知する。また、本ユニット１自身、パッシブ型無線タグリーダ２から受信する電波の順(Ａ→Ｂの順)により、自ユニット１を携帯する者の「出（＝退場）」を判断できるので、アクティブ型無線通信制御部１０とタイマー１３を起動し(Ｓ２１１)、Ｓ２２０へ進む。なお、Ｓ２０１でＮＯであれば、Ｓ２０２へ進む。
【００３５】
ここで、Ｓ２１１でアクティブ型無線通信制御部１０とタイマー１３を起動する理由は、自ＩＤ情報を含む電波をアクティブ型無線通信制御部１０に定期的に発信させるためである。その電波を受信した自ユニット１が居る場所の近傍に設置されているアクティブ型無線タグリーダ３は、受信したＩＤ情報を見守／緊急通報管理装置６へ通知する。見守／緊急通報管理装置６は通知されたＩＤ情報と通知してきたアクティブ型無線タグリーダ３の設置場所により、自ユニット１を携帯する者を見守ることが出来る（図示せず）。
【００３６】
なお、Ｓ２１０による反射電波を受信したパッシブ型無線タグリーダ２も、その反射電波の順番（Ａ→Ｂの順）から当該ユニット１を携帯する者の「出」を判断し、その旨を見守／緊急通報管理装置６へ通知する（図示せず）。
【００３７】
Ｓ２２０において、アクティブ型無線通信制御部１０は、アクティブ型無線タグリーダ３からＩＤ通知要求を受信したか否かを判定し、アクティブ型無線タグリーダ３からＩＤ通知要求を受信した場合（Ｓ２２０，ＹＥＳ）、自ＩＤを含む電波を発信し(Ｓ２２２)、Ｓ２３０へ進む。アクティブ型無線タグリーダ３からＩＤ通知要求を受信していない場合（Ｓ２２０，ＮＯ）、Ｓ２２１へ進む。
【００３８】
Ｓ２２１において、アクティブ型無線通信制御部１０は、起動中のタイマー１３を参照し、定期的なＩＤ通知タイミング（例えば、１分毎）か否かを判定し(Ｓ２２１)、定期的なＩＤ通知タイミングであれば(Ｓ２２１,ＹＥＳ)、アクティブ型無線通信制御部１０から自ＩＤ情報を含む電波を発信し(Ｓ２２２)、Ｓ２３０へ進む。定期的なＩＤ通知タイミングでなければ(Ｓ２２１,ＮＯ)、 Ｓ２２２をスキップしてＳ２３０へ進む。
【００３９】
Ｓ２０２において、パッシブ型無線タグリーダ２から入場(Ｂ→Ａの順)に係る電波を受信した場合(Ｓ２０２,ＹＥＳ)、パッシブ型無線通信制御部１１は、自ＩＤ情報を含む電波を反射して(Ｓ２０３)、パッシブ型無線タグリーダ２へ自ＩＤ情報を通知する。また、本ユニット１自身、パッシブ型無線タグリーダ２から受信する電波の順(Ｂ→Ａの順)により、自ユニット１を携帯する者の「入（＝入場）」、即ち、元の部屋に戻ったと判断できるので、アクティブ型無線通信制御部１０とタイマー１３を停止し(Ｓ２０４)、Ｓ２０１へ戻る。Ｓ２０２でＮＯであれば、Ｓ２３０へ進む。
【００４０】
ここで、Ｓ２０３でアクティブ型無線通信制御部１０とタイマー１３を停止する理由は、アクティブ型無線通信制御部１０による電力消費を節減するためである。
【００４１】
なお、Ｓ２０３による反射電波を受信したパッシブ型無線タグリーダ２も、その反射電波の順番（Ｂ→Ａの順）から当該ユニット１を携帯する者の「入（戻り）」を判断し、その旨を見守／緊急通報管理装置６へ通知する（図示せず）。
【００４２】
Ｓ２３０において、緊急ＳＷ１４が押下された場合またはセンサ１５が反応した場合、または見守／緊急通報管理装置６から自ＩＤ情報を含む緊急通報を要求する特定信号を、いずれかのパッシブ型無線タグリーダ２またはアクティブ型無線タグリーダ３を介して受信した場合に(Ｓ２３０,ＹＥＳ)、アクティブ型無線通信制御部１０（待機中の場合は起動して）から、自ＩＤ情報を含む緊急通報電波を発信し(Ｓ２３１)、Ｓ２０１へ戻る。Ｓ２３０でＮＯであれば、Ｓ２３１をスキップしてＳ２０１へ戻る。
【００４３】
ここで、パッシブ型無線タグリーダ２が発信する前記特定信号は、パッシブ型無線タグを読取るための電波に重畳され、同電波で動作するパッシブ型無線通信制御部１１が抽出する。また、アクティブ型無線タグリーダ３が発信する前記特定信号は、ＩＤ通知要求と同様にアクティブ型無線通信制御部１０が抽出する。前記特定信号により起動されたアクティブ型無線通信制御部１０による、緊急通報電波の発信は、定期的に繰り返すようにしてもよい。
【００４４】
なお、Ｓ２３１において、自ＩＤ情報を含む緊急通報電波を発信する時、アクティブ型無線通信制御部１０が出力する電波の電波強度を大きくする。これは、電池消耗が多少加速されても、緊急通報電波を確実に受信側へ伝達することを優先するためである。
【００４５】
また、Ｓ２３０の判定は、アクティブ型無線通信制御部１０とタイマー１３の起動状態に関らず、いつでも緊急ＳＷ１４の押下およびセンサ１５の反応検知による緊急通報は可能な状態にある。ただし、機械的なスイッチである緊急ＳＷ１４の押下検知に要する電力は極めて小さいが、センサ１５の反応検知に要する電力はセンサの種別に依存し、電力を要するセンサに対しては、アクティブ型無線通信制御部１０を介して、充電池１６からセンサ１５へ電力を供給する必要がある。そこで、タイマー１３の起動状態にしておいて、センサ１５へ電力供給を間欠的に実行して電力消費を抑えるようにしてもよい。
【００４６】
以上、本発明の実施形態について説明した。
【００４７】
本実施形態によれば、パッシブ型無線タグリーダ２がアクティブ型無線通信制御部１０を起動すべき退場(Ａ→Ｂの順)に係る電波を受信した場合に、アクティブ型無線通信制御部１０を起動し、起動されたアクティブ型無線通信制御部１０は、ＩＤ情報を含む電波を定期的または非定期に発信するので、見守りシステムとして効率的である。また、緊急スイッチ１４およびセンサ１５は常時有効であり、緊急通報システムと見守りシステムの両方に適用できると共に、電池の消耗を合理的に低減できる。
【００４８】
さらに、見守／緊急通報管理装置６側から緊急通報電波の発信を要求できるので、例えば、被介護者が施設内外を徘徊した場合に、緊急通報受信装置４または徘徊者探索用の携帯型緊急通報受信装置（図示せず）により、徘徊している被介護者の探索を支援できる。
【００４９】
ところで、本実施形態において、ワイヤレス給電により充電池１６を充電しているが、本発明はこれに限定されない。例えば、光または振動等の外部から受容するエネルギーで発電する発電手段を内蔵するようにしてもよい。
【符号の説明】
【００５０】
１・・・本発明による緊急通報機能を有する無線タグユニット
２・・・パッシブ型無線タグリーダ
３・・・アクティブ型無線タグリーダ
４・・・緊急通報受信装置
５・・・ワイヤレス給電装置
６・・・見守／緊急通報管理装置
１０・・・アクティブ型無線通信制御部
１１・・・パッシブ型無線通信制御部
１２・・・ＩＤ情報記憶部
１３・・・タイマー
１４・・・緊急ＳＷ
１５・・・センサ
１６・・・充電池
１７・・・ワイヤレス受電部
【図１】
2016173699.tif 000003
【図２】
2016173699.tif 000004